(57)【要約】      （修正有）【課題】ヨーロッパ各国及びアメリカ合衆国で愛用される商品のように、フロスの緊張状態を歯間形状により調整でき、歯間清掃が熟達の必要なく容易に出来ることと、一回の歯間清掃で使用するフロス量を減少させることを課題とし、奥歯（臼歯）清掃も正確に行える形状も考察した。【解決手段】巻き取られたフロス（１Ａ）を衛生面から女性の手においても握ることが出来るサイズの大きさのケース内に回転自由に設置し、そのフロス（１Ａ）はケース内に設けた小孔（２Ｇ）より引き出し自由とし、同時に容易な操作において固定される構造とした。このケースを使用することで、両手指をして行われてきたアメリカ式歯間清掃行為が片手指だけで実施出来る。又、二本の棒状先端小孔よりフロス（１Ａ）が突出するタイプの商品においては、より歯間清掃が容易となり奥歯（臼歯）の清掃も正確に実施出来る。【選択図】図１
2018122061.tif 000002
【特許請求の範囲】
【請求項１】
片手で握ることが可能なケース内に回転自由に設置される歯間清掃用フロス巻き物から突出したフロスを固定する方法として、該ケース内側面に凹凸の突起を有し、突起に挟み込むことで歯間清掃用フロスを固定することを特徴とする歯間清掃具。
【請求項２】
片手で握ることが可能なケース内に回転自由に設置される歯間清掃用フロス巻き物から突出したフロスを固定する方法として、該ケース内側面に円形状の外枠を設け、この外枠内に回転ハンドルを挿入、この両枠円周側面各二ケ所に設けた貫通穴に差し込まれたフロスが、貫通穴の位置が変化することにより内枠外周面に巻き込まれることで、歯間清掃用フロスを固定することを特徴とする歯間清掃具。
【請求項３】
片手で握ることが可能なケース内に回転自由に設置される歯間清掃用フロス巻き物から突出したフロスを固定する方法として、該ケース内側面に設けた貫通小孔に歯間清掃用フロス巻き物軸を落とし込み固定することを特徴とする歯間清掃具。
【請求項４】
二本の中空棒からなり、該先端の貫通小孔から歯間清掃用フロスが突出する製品において、フロスの固定方法が中空棒内面と該中空棒に挿入されるフロス固定キャップ外面により固定されることを特徴とする歯間清掃具。
【請求項５】
請求項４の歯間清掃具であって、該歯間清掃用フロスの固定方法が、中空棒側面に設けられた貫通小孔と該中空棒に挿入されるフロス固定キャップ側面に設けられた貫通小孔との位置を変化することで、該小孔を通るフロスを挟みこみ固定されたことを特徴とする歯間清掃具。
【発明の詳細な説明】
【技術分野】
【０００１】本発明は、歯間清掃用フロスにおけるフロスの固定方法とその製品に関する。
【背景技術】
【０００２】歯間部の清掃には三角ようじ及び歯間ブラシが使用されるが、歯間上部においては、歯間が極小のため専用のフロスを使用することになる。
このフロスはポリエステル等の化学糸であり、極細の糸を数百本束ね縒の量を少なくすることで平面化し、歯間に挿入し易い構造となっている。
又、上記したフロスを潤滑を目的とした物質より硬め平面化したフロスもある。【０００３】上記したフロスは、日本国内においては３〜５ｃｍ位にカットされ弓形状で一方端に持ち手を設けた樹脂製成型部材の弓形状部に緊張状態をもって同時成形された使い捨て商品が主流で、ヨーロッパ各国及びアメリカ合衆国で愛用される商品は、フロスを２０〜３０ｍ位巻き取りパッケージングしただけの商品で、使用する量だけ取り出しカットして歯間清掃を行う方式が主流である。そして、上記した商品に関する特許文献を下記した。【０００４】
【特許文献１】特開昭６０−１８５５４８
【特許文献２】特開平３−５５０５４
【特許文献３】特開２００１−１７００８３
【発明の開示】
【発明者が解決しようとする課題】
【０００５】本発明者が平成２８年５月２０日特許出願した、特願２０１６−１１３９１８内でも記載したように、日本国内で主流となる使い捨て商品においてはフロスの緊張状態を指を使用する商品のように調整することが出来ず、歯間の形状によってはトラブルの発生となる。又、弓状の成形品が必要であり製造メーカーにとっては大量の成形品が必要で、ユーザーにとっても一見安価のように感じてもヨーロッパ各国及びアメリカ合衆国で愛用される商品と比較して高価となる。それに加え使い捨て商品であるため衛生的と言える反面、時代の流れであるエコ商品とは言えない。
【０００６】ヨーロッパ各国及びアメリカ合衆国で愛用される商品においても、両手指を使用するため一回の歯間清掃で使用するフロス量が３０〜４０ｃｍ必要である点、両手指を使用するため熟達する必要と、日本人文化として口腔内に指を挿入する違和感を払拭する必要がある。
歯間清掃は歯面清掃（ブラッシング）同様重要な意味をもつものであるため、習慣づけ継続することが必要でフロス商品は経済的で低価格であり且、容易、正確に実施出来ることが肝要でこれを商品開発の課題とした。
【課題を解決するための手段】
【０００７】フロスを衛生面から女性の手の平サイズにおいても握ることが容易なサイズとし、フロスを使用量引き出す度に完全固定することが出来る構造とした。次に、片手中指に約１０ｃｍの間隔で巻きつけ、片手の親指と人差し指で２〜３ｃｍに持ち、フロスをピンと張り、優しく前後しながら、歯の面に沿うようにして挿入し、ゆっくり上下に動かし隣り合った歯の面を磨くようにしてステイン（着色汚れ）や歯垢を取っていく構造とした。
【０００８】又、指を口腔内に挿入する行為に違和感を抱く人や、奥歯（臼歯）の歯間清掃を容易且、正確に行う目的から、棒形状の先端からフロスが突出するヌンチャク型の商品も開発した。この商品においても上記した商品同様、フロスは巻き取られケース内に位置し、固定及び引出しができる構造となっている。
【発明の効果】
【０００９】フロスが手の平サイズのケースに収納されることと、容易にフロスを固定できる構造であることで片手中指又は人差し指に巻きつけるだけで歯間清掃が可能となった。又、一回で使用されるフロス量も３０〜４０ｃｍから約半分の量で済むようになった。
【００１０】衛生面から考察しても、ケースからフロスを引き出し片手中指又は人差し指に巻きつけるだけで歯間清掃が可能であるから、従来の商品と比較して使用部分に触れることも減少し清潔である。又、歯間の形状によりフロスの緊張状態を調整出来ることで、使用中のトラブルも減少した。
【００１１】二本の棒を使用するヌンチャク型においては、奥歯（臼歯）の歯間清掃も容易に出来且、指を口腔内に挿入する必要もなくなった。
【発明を実施するための最良の形態】
【００１２】以下、この発明を実施するための最良の形態を図をもって説明する。【００１３】図１で示したフロスの固定方法は次の通りである。歯間清掃用フロス１Ａは予め、２０〜３０ｍ位の歯間清掃用フロス巻き物１としてケース上２のケース軸２Ｂに回転自由にセットされる。その歯間清掃用フロス巻き物１から引き出された歯間清掃用フロス１Ａはケースフロス誘導部２Ｄ中央に位置する小孔内を通り、ケースフロス固定部２Ｃ中央部を通過フロス突出小孔２Ｇより引き出される。図１で示されたようなケース中央部に位置するケースヒンジ２Ｅにより開閉され、ケース開閉部２Ｆにより、ケース下２Ａと固定される構造となっている。又、図２はケース上２とケース下２Ａに設けたケースフロス固定部２ＣのＡ―Ａ、Ｂ―Ｂ断面であり上下凹凸の中央付近を通る歯間清掃用フロス１Ａを固定する構造を示したものである。【００１４】図１で示したフロスの固定方法において歯間清掃後に使用済の歯間清掃用フロス１Ａはケースに設けたカッターで切除され、ケース開閉部２Ｆを少量開くことで歯間清掃用フロス１Ａを適量ずつ引き出すことが出来る。【００１５】図３のフロス固定方法は、ケース内に設けたケース軸２Ｂにより回転自由に取り付けられた歯間清掃用フロス巻き物１から引き出された歯間清掃用フロス１Ａは、予め、同時成形によりケース内に設けられたケース回転枠外３円周側面２カ所に位置するケース回転枠外小孔（溝）３Ａ片方を通過し、回転自由に内蔵された回転ハンドル４円周側面２か所に位置する回転ハンドル小孔（溝）４Ａ片方を通過、他方から突出しケース回転枠外小孔（溝）３Ａ他方を通過した後、ケース先端に設けたフロス突出小孔２Ｇより引き出され歯間清掃に使用される。【００１６】この商品における歯間清掃用フロス１Ａの固定方法を拡大し示したものが図４である。ケース回転枠外小孔（溝）３Ａ、回転ハンドル小孔（溝）４Ａ（二カ所）、ケース回転枠外小孔（溝）３Ａ他方と通過した歯間清掃用フロス１Ａは、回転ハンドル４に設けた回転ハンドル取っ手５を回転させることで、回転ハンドル４の円周側面に巻きつけられ方向を変えることと、ケ−ス回転枠外３内面と回転ハンドル４外周面との狭い空間を利用して固定される。【００１７】又、図３及び図４に示した矢印方向に回転ハンドル４を回転させ、各小孔（溝）を直線状にすることで歯間清掃用フロス１Ａを引き出すことが容易に出来る。フロスを固定する力量においても、回転ハンドル４を９０度（１／４回転）から３６０度（一回転）まで選択することで可能である。【００１８】図５のフロス固定方法は、図６で示す角型軸６を使用する。この軸の断面形状Ｃ−Ｃ断面を拡大し示したものが図７である。この角型軸６の中央部付近には角型軸ボビン部６Ａを設け、このボビン部の軸形状のみが歯間清掃用フロス１Ａを巻きとるため丸軸となっている。又、予め、フロスを巻き取った歯間清掃用フロス巻き物１を差し込む方法もある。【００１９】上記した角型軸６の中央部付近に位置する角型軸ボビン部６Ａに歯間清掃用フロス１Ａを巻き取りケース内にセットする。ケースにある貫通小孔に余裕をもってセットされた角型軸ボビン部６Ａから引き出された歯間清掃用フロス１Ａは、ケースのフロス誘導部２Ｄを通りフロス突出小孔２Ｇより引き出され使用される。【００２０】この商品における歯間清掃用フロス１Ａの固定方法は、角型軸６を図５で示す矢印方向（下方向）に下げケース角溝部２Ｈに落とし込むだけで固定される。今回は、四角型の軸形状を照会したが、より好適な軸形状は多角形状といえる。その理由は多角形状を進めることにより固定及び解除する行為がスムーズに進行することとなり、歯間清掃用フロス１Ａの引出しにおいても同様である。【００２１】上記した方法においては、歯間清掃を片手指に巻きつけ行う方法であるが、奥歯（臼歯）歯間を正確且、指を使用せずに行う方法を照会したものが図８である。【００２２】ケース２内ケース軸２Ｂに回転自由に固定された歯間清掃用フロス巻き物１から引き出された歯間清掃用フロス１Ａはケース差し込み凸部中央付近に位置するケースフロス固定小孔２Ｉより突出し、中空棒７内を通り中空棒先端小孔７Ａから他方中空棒先端小孔７Ａに入り中空棒７内を通りフロス固定キャップ８に設けた固定キャップ小孔８Ａより突出、中空棒フロス固定小孔７Ｂを通過し外面にでる。【００２３】この方法による歯間清掃フロス１Ａの固定方法は、ケース２先端部を中空棒７内に差し込むことで歯間清掃用フロス１Ａは固定される。より固定を完全なものとする意味から回転する方法も好適といえる。又、他方法としてフロス固定キャップ８を使用する詳細を拡大したものが図９であり、フロス固定キャップ８を矢印方向に回転させ、中空棒フロス固定小孔７Ｂとフロス固定キャップ小孔８Ａの位置をズラスことで固定される。この方法は、上記した図３の方法を棒状タイプにおいて利用したものであり、図８においては、ケース２側とフロス固定キャップ８側において固定方法を変え記載したが同方法においても実施可能である。【００２４】そして、上記した中空棒７をヌンチャク形状で使用するイメージ図が図１０であり、９は歯形状を示したものである。【００２５】又、最後に示した図１１は図３で照会した商品の使用方法を示したイメ−ジ図であり、片手指に歯間清掃用フロス１Ａを巻きつけた状態を示したものが指１１である。そして、歯間清掃用フロス１Ａのケース２内の状態を示す点線がフロス通路（イメージ）１０である。
【図面の簡単な説明】
【００２６】
【図１】凸凹固定型歯間清掃用フロス商品の全体を示す開閉平面図。
【図２】凸凹固定部分を拡大したＡ―Ａ、Ｂ−Ｂ断面図。
【図３】回転固定型歯間清掃用フロス商品の全体を示す正面図。
【図４】回転固定部分を拡大した正面図。
【図５】軸固定型歯間清掃用フロス商品の全体を示す正面図。
【図６】軸全体を拡大した側面図。
【図７】軸断面形状を拡大したＣ―Ｃ断面図。
【図８】棒型歯間清掃用フロス商品の全体を示す断面図。
【図９】棒型歯間清掃用フロス商品において、フロスを回転固定する方法を示す拡大断面図。
【図１０】棒型歯間清掃用フロス商品の使用方法を示すイメージ図。
【図１１】回転固定型歯間清掃用フロス商品の使用方法を示すイメージ図。
【符号の説明】
【００２７】１．    歯間清掃用フロス巻き物。
１Ａ．  歯間清掃用フロス。
２．    ケース上。
２Ａ．  ケース下。
２Ｂ．  ケース軸。
２Ｃ．  ケースフロス固定部。
２Ｄ．  ケースフロス誘導部。
２Ｅ．  ケースヒンジ。
２Ｆ．  ケース開閉部。
２Ｇ．  フロス突出小孔。
２Ｈ．  ケース角溝部
２Ｉ．  ケースフロス固定小孔。
３．    ケース回転枠外。
３Ａ．  ケース回転枠外小孔（溝）。
４．    回転ハンドル。
４Ａ．  回転ハンドル小孔（溝。）
５．    回転ハンドル取っ手。
６．    角型軸。
６Ａ．  角型軸ボビン部。
７．    中空棒。
７Ａ．  中空棒先端小孔
７Ｂ．  中空棒フロス固定小孔。
８．    フロス固定キャップ。
８Ａ．  フロス固定キャップ小孔。
９．    歯。
１０．  フロス通路（イメージ）。
１１．  指。
【図１】
2018122061.tif 000003
【図２】
2018122061.tif 000004
【図３】
2018122061.tif 000005
【図４】
2018122061.tif 000006
【図５】
2018122061.tif 000007
【図６】
2018122061.tif 000008
【図７】
2018122061.tif 000009
【図８】
2018122061.tif 000010
【図９】
2018122061.tif 000011
【図１０】
2018122061.tif 000012
【図１１】
2018122061.tif 000013